(57)【要約】【課題】部品点数の削減と組立性の向上を図ることのできるジョイントコネクタを提供すること、及び、前記ジョイントコネクタに装着された雌型端子金具を抜け止めするコネクタ組み立て装置を提供すること。【解決手段】雌型端子金具２０を収容保持するコネクタハウジング３０は、規定位置まで挿入された雌型端子金具２０の挿入案内用突片２４及びその周縁を外面に露出させる治具挿通穴と、規定位置まで挿入された雌型端子金具２０の挿入案内用突片２４の側方に形成された抜け止め用係止面３９と、を備え、規定位置まで挿入された雌型端子金具２０の挿入案内用突片２４を治具挿通穴に挿入された治具４１によって折り曲げて抜け止め用係止面３９に係合させることで、雌型端子金具２０が抜け止めされる。【選択図】図９
2012169184.tif 000002
【特許請求の範囲】
【請求項１】
複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、を有する樹脂製のコネクタハウジングと、
を備え、
前記雌型端子金具は、前記雌端子収容孔への挿入方向に沿って延在する挿入案内用突片を備え、
前記コネクタハウジングは、前記規定位置まで挿入された前記雌型端子金具の前記挿入案内用突片及びその周縁を外面に露出させるようにハウジング外壁に貫通形成された複数の治具挿通穴と、前記規定位置まで挿入された前記雌型端子金具の前記挿入案内用突片の側方に形成された抜け止め用係止面と、を備え、
前記規定位置まで挿入された前記雌型端子金具の前記挿入案内用突片は、前記治具挿通穴から挿入された治具により前記抜け止め用係止面側に折り曲げられ、前記挿入案内用突片の曲げ部と前記抜け止め用係止面との係合によって前記雌型端子金具が抜け止めされることを特徴とするジョイントコネクタ。
【請求項２】
前記コネクタハウジングは、前記雌型端子金具の雌端子収容孔への挿入時に前記挿入案内用突片を摺動可能に収容して前記雌型端子金具を前記規定位置に案内するガイド溝を備え、
前記抜け止め用係止面は、前記ガイド溝を構成する溝側壁の終端面であり、前記溝側壁の終端は、前記雌型端子金具が前記規定位置に到達していないときには、前記治具による前記挿入案内用突片の曲げを阻止するように終端位置が設定されていることを特徴とする請求項１に記載のジョイントコネクタ。
【請求項３】
請求項１又は２に記載のコネクタハウジングの一端部を位置決めし、前記雌型端子金具を前記雌端子収容孔へ挿入した際に、前記雌型端子金具が前記規定位置に突き当たった時の負荷の変動により、前記雌型端子金具が前記規定位置に到達したことを検知するセンサ部と、
前記コネクタハウジングの治具挿通穴に向かって前記治具を進退可能に支持し、前記雌型端子金具が前記規定位置に到達したことを前記センサ部が検知したときに、前記治具を前記治具挿通穴に挿入して、前記挿入案内用突片を曲げ成形する治具駆動部と、を備えたことを特徴とするコネクタ組み立て装置。
【発明の詳細な説明】
【技術分野】
【０００１】
本発明は、複数の雌型端子金具相互をジョイント端子により導通接続するジョイントコネクタ、及びコネクタ組み立て装置に関する。
【背景技術】
【０００２】
図１２は、ジョイントコネクタの従来例を示したものである。
このジョイントコネクタ１００は、下記特許文献１に開示されたもので、ジョイント端子（バスバー）１１０と、複数本の雌型端子金具１２０と、第１のコネクタハウジング１３０と、第２のコネクタハウジング１４０と、を備えている。
【０００３】
ジョイント端子１１０は、金属板のプレス成形品で、雌型端子金具１２０を嵌合接続する複数本のタブ片１１１と、これらのタブ片１１１を導通接続した連結部１１２と、を備える。
【０００４】
雌型端子金具１２０は、金属板のプレス成形品で、タブ片１１１が嵌合する角筒状の箱部１２１と、該箱部１２１の後端から延出して電線１５０を圧着する電線加締め部１２２と、抜け止め用の係合凹部１２３と、を備える。
【０００５】
第１のコネクタハウジング１３０は、樹脂の射出成型品で、ハウジング一端部１３１と、該ハウジング一端部１３１から延出した筒状のフード部１３２と、を備える。
【０００６】
ハウジング一端部１３１は、タブ片１１１をハウジングの他端１３０ａ（図１２では、右端）側に向けて、ジョイント端子１１０を収容保持する。このハウジング一端部１３１は、例えば、インサート成形により、ジョイント端子１１０を保持する。
【０００７】
フード部１３２は、第２のコネクタハウジング１４０を嵌合させる筒状部である。このフード部１３２には、嵌合した第２のコネクタハウジング１４０を固定するためのロック穴部１３４が設けられている。
【０００８】
第２のコネクタハウジング１４０は、雌型端子金具１２０を収容保持して、第１のコネクタハウジング１３０に嵌合接続される。
【０００９】
第２のコネクタハウジング１４０は、雌型端子金具１２０を収容する複数の雌端子収容孔１４１と、雌端子収容孔１４１内に挿入された雌型端子金具１２０を抜け止めするランス１４２と、第１のコネクタハウジング１３０との結合状態をロックするロック突起１４３と、を備える。
【００１０】
ランス１４２は、雌端子収容孔１４１に沿って延出する弾性片１４２ａの自由端側に、雌端子収容孔１４１に向かって突出する端子係止突起１４２ｂを備えている。このランス１４２は、雌端子収容孔１４１に雌型端子金具１２０が挿入されている途中では、雌型端子金具１２０の箱部１２１と端子係止突起１４２ｂとの干渉により、端子係止突起１４２ｂが雌端子収容孔１４１の外側に退避するように、弾性片１４２ａが撓み変形して雌型端子金具１２０の挿入を許容する。そして、雌型端子金具１２０が規定位置まで挿入されると、端子係止突起１４２ｂの弾性復元力で端子係止突起１４２ｂが雌型端子金具１２０の係合凹部１２３に係合して、雌型端子金具１２０を抜け止めする。
【００１１】
ロック突起１４３は、第１のコネクタハウジング１３０と第２のコネクタハウジング１４０とが正常に嵌合完了したときに、第１のコネクタハウジング１３０のロック穴部１３４に係合して、コネクタハウジング相互の結合状態をロックする。
【００１２】
以上のジョイントコネクタ１００では、第２のコネクタハウジング１４０に装着されている雌型端子金具１２０が規定位置に到達していない半嵌合（不完全挿入）状態のときに、それを検知する半嵌合検知手段として、第１のコネクタハウジング１３０のハウジング一端部１３１に、半嵌合検知突起１３５を備えている。
【００１３】
この半嵌合検知突起１３５は、第１のコネクタハウジング１３０と第２のコネクタハウジング１４０とを嵌合させたとき、ランス１４２の退避用空間１４５に挿入される突起である。雌型端子金具１２０が雌端子収容孔１４１に半嵌合状態のときは、ランス１４２が退避用空間１４５側に撓み変位しているため、ハウジング相互を嵌合させた際に、半嵌合検知突起１３５が退避用空間１４５に変位しているランス１４２の先端に干渉して、ハウジング相互の嵌合が阻害されることで、雌型端子金具１２０が半嵌合状態であることが検知される。
【先行技術文献】
【特許文献】
【００１４】
【特許文献１】特開平８−２５０１８５号公報
【発明の概要】
【発明が解決しようとする課題】
【００１５】
ところが、特許文献１に記載のジョイントコネクタ１００では、ジョイント端子１１０を収容保持する第１のコネクタハウジング１３０と、雌型端子金具１２０を収容保持する第２のコネクタハウジング１４０とが別体で、部品点数が多くなるという問題があった。
【００１６】
また、ジョイント端子１１０と雌型端子金具１２０とを嵌合接続させるには、第１のコネクタハウジング１３０と第２のコネクタハウジング１４０とを嵌合接続する工程が必要で、組立工程数が多くなるため、組立性の向上が難しいという問題もあった。
【００１７】
また、第２のコネクタハウジング１４０内における雌型端子金具１２０の抜け止めは、第２のコネクタハウジング１４０内のランス１４２により達成しているが、ランスは金属と比較して強度の低い樹脂製であり、また、ランスの寸法の増大による強度アップが難しいため、抜け止め強度を向上させることが難しいという問題もあった。
【００１８】
更に、第２のコネクタハウジング１４０を抜け止めするランス１４２が、第２のコネクタハウジング１４０に雌型端子金具１２０を挿入する際の抵抗となるため、雌型端子金具１２０の装着に手間がかかるという問題もあった。
【００１９】
また、雌型端子金具１２０の半嵌合検知手段として、ジョイント端子１１０に半嵌合検知突起１３５を形成しており、半嵌合検知突起１３５の装備のために、第１のコネクタハウジング１３０の構造が複雑化するという問題もあった。
【００２０】
そこで、本発明の目的は、上記課題を解消することに係り、部品点数の削減と組立性の向上を図ることのできるジョイントコネクタを提供すること、及び、前記ジョイントコネクタに装着された雌型端子金具を抜け止めするコネクタ組み立て装置を提供することにある。
【課題を解決するための手段】
【００２１】
本発明の前述した目的は、下記の構成により達成される。
（１）  複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、を有する樹脂製のコネクタハウジングと、
を備え、
前記雌型端子金具は、前記雌端子収容孔への挿入方向に沿って延在する挿入案内用突片を備え、
前記コネクタハウジングは、前記規定位置まで挿入された前記雌型端子金具の前記挿入案内用突片及びその周縁を外面に露出させるようにハウジング外壁に貫通形成された複数の治具挿通穴と、前記規定位置まで挿入された前記雌型端子金具の前記挿入案内用突片の側方に形成された抜け止め用係止面と、を備え、
前記規定位置まで挿入された前記雌型端子金具の前記挿入案内用突片は、前記治具挿通穴から挿入された治具により前記抜け止め用係止面側に折り曲げられ、前記挿入案内用突片の曲げ部と前記抜け止め用係止面との係合によって前記雌型端子金具が抜け止めされることを特徴とするジョイントコネクタ。
【００２２】
（２）前記コネクタハウジングは、前記雌型端子金具の雌端子収容孔への挿入時に前記挿入案内用突片を摺動可能に収容して前記雌型端子金具を前記規定位置に案内するガイド溝を備え、
前記抜け止め用係止面は、前記ガイド溝を構成する溝側壁の終端面であり、前記溝側壁の終端は、前記雌型端子金具が前記規定位置に到達していないときには、前記治具による前記挿入案内用突片の曲げを阻止するように終端位置が設定されていることを特徴とする上記（１）に記載のジョイントコネクタ。
【００２３】
（３）上記（１）又は（２）に記載のコネクタハウジングの一端部を位置決めし、前記雌型端子金具を前記雌端子収容孔へ挿入した際に、前記雌型端子金具が前記規定位置に突き当たった時の負荷の変動により、前記雌型端子金具が前記規定位置に到達したことを検知するセンサ部と、
前記コネクタハウジングの治具挿通穴に向かって前記治具を進退可能に支持し、前記雌型端子金具が前記規定位置に到達したことを前記センサ部が検知したときに、前記治具を前記治具挿通穴に挿入して、前記挿入案内用突片を曲げ成形する治具駆動部と、を備えたことを特徴とするコネクタ組み立て装置。
【００２４】
上記（１）の構成によれば、ジョイント端子と雌型端子金具との嵌合接続は、一端にジョイント端子を収容保持し他端に雌型端子金具が挿入される単一のコネクタハウジングにより行うため、一対のコネクタハウジング相互を嵌合接続していた従来のジョイントコネクタと比較すると、部品点数を削減することができる。
【００２５】
また、コネクタハウジングからの雌型端子金具の抜け止めは、雌型端子金具に装備した挿入案内用突片を折り曲げてコネクタハウジングの抜け止め用係止面に係合させることにより行う。従って、コネクタハウジングには、雌型端子金具を抜け止めするためのランスを装備せずに済む。換言すると、コネクタハウジングに雌型端子金具を挿入する際に、ランスによる抵抗が作用しないため、雌型端子金具の挿入操作が容易になり、組立性の向上を図ることができる。
【００２６】
また、コネクタハウジングの抜け止め用係止面との係合により雌型端子金具の抜け止めをする挿入案内用突片は、金属板製のため、樹脂製のランスにより雌型端子金具の抜け止めをする従来のジョイントコネクタと比較すると、雌型端子金具に対する抜け止め強度を向上させることができる。
【００２７】
上記（２）の構成によれば、折り曲げることにより雌型端子金具を抜け止めする挿入案内用突片は、雌型端子金具が雌端子収容孔の規定位置に到達していない不完全挿入の状態では、挿入案内用突片が摺動するガイド溝の溝側壁により曲げが阻止されて、折り曲げすることができない。
【００２８】
従って、治具が挿入案内用突片を折り曲げできるか否かで、雌型端子金具が半嵌合状態であるか否かを検知することができる。従って、コネクタハウジングに専用の半嵌合検知構造を装備する必要がなくなるため、コネクタハウジングの構造を単純化することができる。
【００２９】
上記（３）の構成によれば、雌型端子金具が雌端子収容孔の規定位置まで挿入されると、センサがそれを検知して、センサの検知信号で動作する治具駆動部が自動的に治具を治具挿通穴に挿入して、雌型端子金具の挿入案内用突片を所定の折り曲げ形状に成形して、雌型端子金具の抜け止めをする。
【００３０】
従って、コネクタハウジングに装着された雌型端子金具を、特別の操作をすることなく抜け止めすることができ、ジョイントコネクタにおける組立性を向上させることができる。
【発明の効果】
【００３１】
本発明によるジョイントコネクタによれば、ジョイント端子と雌型端子金具との嵌合接続は、一端にジョイント端子を収容保持し他端に雌型端子金具が挿入される単一のコネクタハウジングにより行うため、一対のコネクタハウジング相互を嵌合接続していた従来のジョイントコネクタと比較すると、部品点数を削減することができる。
【００３２】
また、コネクタハウジングからの雌型端子金具の抜け止めは、雌型端子金具に装備した挿入案内用突片を折り曲げてコネクタハウジングの抜け止め用係止面に係合させることにより行う。従って、コネクタハウジングには、雌型端子金具を抜け止めするためのランスを装備せずに済む。換言すると、コネクタハウジングに雌型端子金具を挿入する際に、ランスによる抵抗が作用しないため、雌型端子金具の挿入操作が容易になり、組立性の向上を図ることができる。
【００３３】
また、コネクタハウジングの抜け止め用係止面との係合により雌型端子金具の抜け止めをする挿入案内用突片は、金属板製のため、樹脂製のランスにより雌型端子金具の抜け止めをする従来のジョイントコネクタと比較すると、雌型端子金具に対する抜け止め強度を向上させることができる。
【図面の簡単な説明】
【００３４】
【図１】本発明に係るジョイントコネクタの一実施形態の分解斜視図である。
【図２】図１に示した雌型端子金具の先端側斜め上方から視た斜視図である。
【図３】図１に示したコネクタハウジングの他端側斜め下方から視た斜視図である。
【図４】図１に示したコネクタハウジングの底面図である。
【図５】図４のＡ−Ａ断面図である。
【図６】図５のＢ矢視図である。
【図７】図５のＣ矢視図である。
【図８】図１に示したコネクタハウジングを、コネクタ組み立て装置に装着した状態の平面図である。
【図９】図８のＤ−Ｄ断面図である。
【図１０】図８に示したコネクタハウジングにおける治具挿通穴周辺の斜視図である。
【図１１】図８に示したコネクタハウジングにおける治具挿通穴周辺の平面図である。
【図１２】従来のジョイントコネクタの分解状態の縦断面図である。
【発明を実施するための形態】
【００３５】
以下、本発明に係るジョイントコネクタの好適な実施形態について、図面を参照して詳細に説明する。
【００３６】
図１〜図１１は本発明に係るジョイントコネクタの一実施形態を示したもので、図１は本発明に係るジョイントコネクタの一実施形態の分解斜視図、図２は図１に示した雌型端子金具の先端側斜め上方から視た斜視図、図３は図１に示したコネクタハウジングの他端側斜め下方から視た斜視図、図４は図１に示したコネクタハウジングの底面図、図５は図４のＡ−Ａ断面図、図６、図７は図５のＣ矢視図、図８は図１に示したコネクタハウジングを、コネクタ組み立て装置に装着した状態の平面図、図９は図８のＤ−Ｄ断面図、図１０は図８に示したコネクタハウジングにおける治具挿通穴周辺の斜視図、図１１は図８に示したコネクタハウジングにおける治具挿通穴周辺の平面図である。
【００３７】
この一実施形態のジョイントコネクタ１は、図１に示すように、ジョイント端子１０と、雌型端子金具２０と、樹脂製のコネクタハウジング３０と、を備える。
【００３８】
ジョイント端子１０は、金属板のプレス成形品で、雌型端子金具２０を嵌合接続する複数本のタブ片１１と、これらのタブ片１１を導通接続した連結部１２と、を備える。
【００３９】
雌型端子金具２０は、金属板のプレス成形品で、図１及び図２に示すように、タブ片１１が嵌合する角筒状の箱部２１と、該箱部２１の後端から延出して電線を圧着する電線加締め部２２と、挿入案内用突片２４と、を備える。
【００４０】
電線加締め部２２は、電線の導体を圧着する導体加締め片２２ａと、電線の被覆部に加締め付けることで電線を固定する被覆加締め片２２ｂとを備える。
【００４１】
挿入案内用突片２４は、箱部２１の後端寄りの位置において、後述するコネクタハウジング３０の雌端子収容孔への挿入方向に沿って延在する舌状片である。この挿入案内用突片２４は、箱部２１の側壁の一部を延長して折り曲げ成形することで、舌状に形成されている。
【００４２】
コネクタハウジング３０は、樹脂の射出成型品で、ハウジング一端部３１と、該ハウジング一端部３１とは逆側の端部であるハウジング他端部３２と、を備えている。
【００４３】
ハウジング一端部３１は、図５に示すように、タブ片１１をハウジング他端部３２側に向けて、ジョイント端子１０を収容保持する。
【００４４】
ハウジング他端部３２には、図３及び図５に示すように、複数の雌端子収容孔３４が配列されている。これらの複数の雌端子収容孔３４は、雌型端子金具２０を規定位置まで挿入することで雌型端子金具２０とタブ片１１とを嵌合状態にする孔である。ここに、規定位置とは、タブ片１１と箱部２１とが、電気的な接続に必要十分な接触長を得る位置である。
【００４５】
本実施形態の場合、雌端子収容孔３４は、雌型端子金具２０の挿入操作が低挿入力で実施できるように、雌型端子金具２０が遊嵌する断面形状に形成されている。
【００４６】
雌端子収容孔３４には、図７に示すように、ガイド溝３５と、ガイドリブ３６とが設けられている。
【００４７】
ガイド溝３５は、雌型端子金具２０の雌端子収容孔３４への挿入時に、挿入案内用突片２４を摺動可能に収容して、雌型端子金具２０を規定位置に案内する。
【００４８】
また、コネクタハウジング３０の内部で、規定位置まで挿入された雌型端子金具２０の挿入案内用突片２４の側方には、図９に示すように、抜け止め用係止面３９が備えられる。抜け止め用係止面３９は、ガイド溝３５を構成する溝側壁３５ａの終端面である。溝側壁３５ａの終端は、雌型端子金具２０が規定位置に到達していないときには、後述の治具による挿入案内用突片２４の曲げを阻止するように終端位置が設定されている。
【００４９】
ガイドリブ３６は、図５に示すように、タブ片１１の先端付近における雌端子収容孔３４の底部に隆起形成された凸条である。このガイドリブ３６は、雌端子収容孔３４に挿入された箱部２１の先端部が乗り上げる傾斜面３６ａを具備した突起３６ｂを有している。
【００５０】
ガイドリブ３６における傾斜面３６ａ及び突起３６ｂは、雌端子収容孔３４に挿入された箱部２１の先端が規定より下がって、箱部２１の先端の周縁部がタブ片１１に先端に衝突することを防止する。即ち、ガイドリブ３６は、雌端子収容孔３４に挿入された雌型端子金具２０の箱部２１がスムーズにタブ片１１に嵌合するように、箱部２１の先端の高さ位置を補正する位置合わせ部材である。
【００５１】
更に、本実施形態の場合、コネクタハウジング３０の下面壁には、図５及び図６に示すように、各雌端子収容孔３４と連通するように、各雌端子収容孔３４の位置に対応して、タブ視認用窓部３７と、治具挿通穴３８と、が備えられている。
【００５２】
タブ視認用窓部３７は、タブ片１１の先端部を目視できる位置に開口しており、タブ片１１に箱部２１が嵌合した状態を目視することが可能である。
【００５３】
治具挿通穴３８は、規定位置まで挿入された雌型端子金具２０の挿入案内用突片２４及びその周縁を外面に露出させるように、ハウジング外壁に貫通形成された開口である。
【００５４】
規定位置まで挿入された雌型端子金具２０の挿入案内用突片２４は、図９に矢印Ｒで示すように、治具挿通穴３８から挿入された治具４１により抜け止め用係止面３９側に折り曲げられる。治具４１により抜け止め用係止面３９側に折り曲げられた挿入案内用突片２４の曲げ部２４ａと抜け止め用係止面３９との係合によって、雌型端子金具２０が抜け止めされる。
【００５５】
本実施形態の場合、治具挿通穴３８への治具４１の挿入動作は、図８に示すコネクタ組み立て装置４０によって行う。
コネクタ組み立て装置４０は、センサ部４２と、不図示の治具駆動部と、を備える。
【００５６】
センサ部４２は、コネクタハウジング３０の一端部３１を位置決めする一端部当接部４４と、コネクタハウジング３０に対して雌型端子金具２０の挿入方向に作用する負荷が一定以上になると該一端部当接部４４を前記挿入方向（図８における矢印Ｘ１方向）に変位可能に支持するばね部４５と、前記挿入方向に変位する一端部当接部４４により押下されるスイッチ４６と、を備える。
【００５７】
以上に説明したセンサ部４２は、図８に示すように一端部当接部４４によりコネクタハウジング３０の一端部３１を位置決めし、更に、雌型端子金具２０を雌端子収容孔３４へ挿入した際に、雌型端子金具２０が規定位置に突き当たった時の負荷の変動による一端部当接部４４の矢印Ｘ１方向への移動によりスイッチ４６が押下されることで、雌型端子金具２０が規定位置に到達したことを検知する。
【００５８】
コネクタ組み立て装置４０を構成する不図示の治具駆動部は、コネクタハウジング３０の治具挿通穴３８に向かって治具４１を進退可能に支持しており、雌型端子金具２０が規定位置に到達したことを前記センサ部４２が検知したときに、治具４１を治具挿通穴３８に挿入して、挿入案内用突片２４を曲げ成形する。
【００５９】
以上に説明した一実施形態のジョイントコネクタ１の構成によれば、ジョイント端子１０と雌型端子金具２０との嵌合接続は、一端にジョイント端子１０を収容保持し他端に雌型端子金具２０が挿入される単一のコネクタハウジング３０により行うため、一対のコネクタハウジング相互を嵌合接続していた従来のジョイントコネクタと比較すると、部品点数を削減することができる。
【００６０】
また、コネクタハウジング３０からの雌型端子金具２０の抜け止めは、雌型端子金具２０に装備した挿入案内用突片２４を折り曲げてコネクタハウジング３０の抜け止め用係止面３９に係合させることにより行う。従って、コネクタハウジング３０には、雌型端子金具２０を抜け止めするためのランスを装備せずに済む。換言すると、コネクタハウジング３０に雌型端子金具２０を挿入する際に、ランスによる抵抗が作用しないため、雌型端子金具２０の挿入操作が容易になり、組立性の向上を図ることができる。
【００６１】
また、コネクタハウジング３０の抜け止め用係止面３９との係合により雌型端子金具２０の抜け止めをする挿入案内用突片２４は、金属板製のため、樹脂製のランスにより雌型端子金具の抜け止めをする従来のジョイントコネクタと比較すると、雌型端子金具２０に対する抜け止め強度を向上させることができる。
【００６２】
また、以上に説明した一実施形態のジョイントコネクタ１の構成によれば、折り曲げることにより雌型端子金具２０を抜け止めする挿入案内用突片２４は、雌型端子金具２０が雌端子収容孔３４の規定位置に到達していない不完全挿入の状態では、挿入案内用突片２４が摺動するガイド溝３５の溝側壁３５ａにより曲げが阻止されて、折り曲げすることができない。
【００６３】
従って、治具４１が挿入案内用突片２４を折り曲げできるか否かで、雌型端子金具２０が半嵌合状態であるか否かを検知することができる。従って、コネクタハウジング３０に専用の半嵌合検知構造を装備する必要がなくなるため、コネクタハウジング３０の構造を単純化することができる。
【００６４】
また、以上に説明した一実施形態に示したコネクタ組み立て装置４０の構成によれば、雌型端子金具２０が雌端子収容孔３４の規定位置まで挿入されると、センサ部４２がそれを検知して、センサ部４２の検知信号で動作する不図示の治具駆動部が自動的に治具４１を治具挿通穴３８に挿入して、雌型端子金具２０の挿入案内用突片２４を所定の折り曲げ形状に成形して、雌型端子金具２０の抜け止めをする。
【００６５】
従って、コネクタハウジング３０に装着された雌型端子金具２０を、特別の操作をすることなく抜け止めすることができ、ジョイントコネクタ１における組立性を向上させることができる。
【００６６】
なお、本発明のジョイントコネクタ１やコネクタ組み立て装置４０は、前述した各実施形態に限定されるものでなく、適宜な変形、改良等が可能である。
【００６７】
例えば、コネクタ組み立て装置４０において、規定位置まで挿入された挿入案内用突片２４を折り曲げる治具４１は、手動で進退操作する構造としても良い。
【符号の説明】
【００６８】
１  ジョイントコネクタ
１０  ジョイント端子
１１  タブ片
２０  雌型端子金具
２１  箱部
２４  挿入案内用突片
２４ａ  曲げ部
３０  コネクタハウジング
３１  ハウジング一端部
３２  ハウジング他端部
３４  雌端子収容孔
３５  ガイド溝
３６  ガイドリブ
３７  タブ視認用窓部
３８  治具挿通穴
４０  コネクタ組み立て装置
４１  治具
４２  センサ部
４４  一端部当接部
４５  ばね部
４６  スイッチ
【図１】
2012169184.tif 000003
【図２】
2012169184.tif 000004
【図３】
2012169184.tif 000005
【図４】
2012169184.tif 000006
【図５】
2012169184.tif 000007
【図６】
2012169184.tif 000008
【図７】
2012169184.tif 000009
【図８】
2012169184.tif 000010
【図９】
2012169184.tif 000011
【図１０】
2012169184.tif 000012
【図１１】
2012169184.tif 000013
【図１２】
2012169184.tif 000014